【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
ワイヤレス通信においてユーザ機器（ＵＥ）においてデータを受信するための方法であって、
前記ＵＥにおいて、第１の送信時間間隔（ＴＴＩ）の第１のデータリソースをスケジュールするための制御チャネルの共通探索空間を監視することと、
前記共通探索空間中のダウンリンク制御インジケータ（ＤＣＩ）の１つまたは複数のビットの値を決定することに少なくとも部分的に基づいて、前記制御チャネルが第２のＴＴＩに基づく前記ＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きく、前記監視することが、前記制御チャネルの共通探索空間を監視することを備える、
を備える、方法。
【請求項２】
前記制御チャネルが前記ＵＥのために前記第２のデータリソースをスケジュールすると決定することが、無線ネットワーク一時識別子（ＲＮＴＩ）に基づいて前記共通探索空間中の前記ダウンリンク制御インジケータ（ＤＣＩ）をデスクランブルすることに少なくとも部分的に基づく、請求項１に記載の方法。
【請求項３】
前記ＲＮＴＩが、前記ＵＥによって識別されたページングＲＮＴＩ、ランダムアクセスＲＮＴＩ、またはシステム情報ＲＮＴＩのうちの少なくとも１つである、請求項２に記載の方法。
【請求項４】
前記１つまたは複数のビットが前記第２のＴＴＩの前記第２の持続時間を示す、請求項１に記載の方法。
【請求項５】
前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも部分的に基づく、請求項２に記載の方法。
【請求項６】
前記ＤＣＩが、前記第２のＴＴＩに基づく前記ＵＥのためにスケジュールされた前記第２のデータリソースの持続時間を示す、請求項２に記載の方法。
【請求項７】
前記第２のデータリソースが、前記制御チャネルの制御領域のリソースに時間的に後続して受信される、請求項１に記載の方法。
【請求項８】
前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを決定することをさらに備える、請求項１に記載の方法。
【請求項９】
前記後続の通信が前記第１のＴＴＩに基づくのか前記第２のＴＴＩに基づくのかを決定することが、前記ランダムアクセス要求許可に少なくとも部分的に基づく、請求項８に記載の方法。
【請求項１０】
前記制御チャネルが、ランダムアクセスチャネル指令の開始を示し、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも部分的に、１つまたは複数の後続の通信が前記第１のＴＴＩに基づくのか前記第２のＴＴＩに基づくのかを決定すること
をさらに備える、請求項１に記載の方法。
【請求項１１】
前記１つまたは複数の後続の通信が前記第１のＴＴＩに基づくのか前記第２のＴＴＩに基づくのかを決定することは、後続の物理ランダムアクセスチャネルが前記第１のＴＴＩに基づく、または後続のランダムアクセス応答が前記第２のＴＴＩに基づく、のうちの少なくとも１つを決定することを備える、または、
前記ＤＣＩに少なくとも部分的に基づいて、ランダムアクセス要求許可に応答するための応答ウィンドウを決定することをさらに備える、または、
前記ＤＣＩに少なくとも部分的に基づいて、ランダムアクセスプロシージャにおける追加の通信を受信することに関係するタイマーを決定することをさらに備える、
請求項１０に記載の方法。
【請求項１２】
前記データがブロードキャストデータまたはユニキャストデータに対応する、または、
前記制御チャネル中の指示に少なくとも部分的に基づいて、前記第２のＴＴＩに基づく通信を監視することをアクティブ化または非アクティブ化することをさらに備える、請求項１に記載の方法。
【請求項１３】
ワイヤレス通信において発展型ノードＢ（ｅＮＢ）においてデータをスケジュールするための方法であって、
第１の送信時間間隔（ＴＴＩ）の第１のデータリソースをスケジュールする制御チャネルを送信することと、ここにおいて、前記制御チャネルが、ダウンリンク制御インジケータ（ＤＣＩ）を示す共通探索空間を含む、
前記ＤＣＩの１つまたは複数のビットを使用して、前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を備える、方法。
【請求項１４】
前記第２のＴＴＩに基づく前記第２のデータリソースのスケジューリングを示すことが、無線ネットワーク一時識別子（ＲＮＴＩ）に基づいて前記ＵＥのためのダウンリンク制御インジケータ（ＤＣＩ）をスクランブルすることを備え、ここで、前記ＤＣＩが、前記第２のＴＴＩに基づく前記第２のデータリソースのスケジューリングを示す、請求項１３に記載の方法。
【請求項１５】
前記ＲＮＴＩが、前記ＵＥによって識別されたページングＲＮＴＩ、ランダムアクセスＲＮＴＩ、またはシステム情報ＲＮＴＩのうちの少なくとも１つである、または、
前記第２のデータリソースのスケジューリングを示すことが、前記第２のＴＴＩに基づく前記第２のデータリソースのスケジューリングを示す巡回冗長検査（ＣＲＣ）マスキングを用いて前記ＤＣＩをマスキングすることをさらに備える、請求項１４に記載の方法。
【請求項１６】
前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを示すことをさらに備える、または、
前記制御チャネルを介してランダムアクセスチャネル指令の開始を示すことと、無線ネットワーク一時識別子（ＲＮＴＩ）に基づいてスクランブルされた前記制御チャネルの探索空間中の前記ＵＥのための前記ダウンリンク制御インジケータ（ＤＣＩ）に少なくとも部分的に基づいて、後続の通信が前記第１のＴＴＩに基づくのか前記第２のＴＴＩに基づくのかを示すこととをさらに備える、請求項１３に記載の方法。
【請求項１７】
前記ＤＣＩ中で、ランダムアクセス要求許可に応答するための応答ウィンドウを示すことをさらに備える、または、
前記ＤＣＩ中で、ランダムアクセスプロシージャにおける追加の通信を受信することに関係するタイマーを示すことをさらに備える、請求項１６に記載の方法。
【請求項１８】
ワイヤレス通信のための装置であって、
請求項１〜請求項１７のうちのいずれか一項のステップを実行するように構成された手段
を備える、装置。
【手続補正２】
【補正対象書類名】明細書
【補正対象項目名】００８９
【補正方法】変更
【補正の内容】
【００８９】
[0095]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本明細書で説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
[Ｃ１]  ワイヤレス通信においてユーザ機器（ＵＥ）においてデータを受信するための方法であって、
前記ＵＥにおいて、第１の送信時間間隔（ＴＴＩ）の第１のデータリソースに関連する制御チャネルを監視することと、
前記制御チャネルが第２のＴＴＩに基づく前記ＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きい、
を備える、方法。
[Ｃ２]  前記監視することが、前記制御チャネルの共通探索空間を監視することを備え、ここにおいて、前記制御チャネルが前記ＵＥのために前記第２のデータリソースをスケジュールすると決定することが、無線ネットワーク一時識別子（ＲＮＴＩ）に基づいて前記共通探索空間中のダウンリンク制御インジケータ（ＤＣＩ）をデスクランブルすることに少なくとも部分的に基づく、Ｃ１に記載の方法。
[Ｃ３]  前記ＲＮＴＩが、前記ＵＥによって識別されたページングＲＮＴＩ、ランダムアクセスＲＮＴＩ、またはシステム情報ＲＮＴＩのうちの少なくとも１つである、Ｃ２に記載の方法。
[Ｃ４]  前記制御チャネルが前記第２のＴＴＩに基づく前記ＵＥのための前記第２のデータリソースをスケジュールすると決定することが、さらに、前記ＤＣＩ中の１つまたは複数のビットの値を決定することに少なくとも部分的に基づく、Ｃ２に記載の方法。
[Ｃ５]  前記１つまたは複数のビットが前記第２のＴＴＩの前記第２の持続時間を示す、Ｃ４に記載の方法。
[Ｃ６]  前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも部分的に基づく、Ｃ２に記載の方法。
[Ｃ７]  前記ＤＣＩが、前記第２のＴＴＩに基づく前記ＵＥのためにスケジュールされた前記第２のデータリソースの持続時間を示す、Ｃ２に記載の方法。
[Ｃ８]  前記第２のデータリソースが、前記制御チャネルの制御領域のリソースに時間的に後続して受信される、Ｃ１に記載の方法。
[Ｃ９]  前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを決定することをさらに備える、Ｃ１に記載の方法。
[Ｃ１０]  前記後続の通信が前記第１のＴＴＩに基づくのか前記第２のＴＴＩに基づくのかを決定することが、前記ランダムアクセス要求許可に少なくとも部分的に基づく、Ｃ９に記載の方法。
[Ｃ１１]  前記制御チャネルが、ランダムアクセスチャネル指令の開始を示し、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも部分的に、１つまたは複数の後続の通信が前記第１のＴＴＩに基づくのか前記第２のＴＴＩに基づくのかを決定すること
をさらに備える、Ｃ１に記載の方法。
[Ｃ１２]  前記１つまたは複数の後続の通信が前記第１のＴＴＩに基づくのか前記第２のＴＴＩに基づくのかを決定することは、後続の物理ランダムアクセスチャネルが前記第１のＴＴＩに基づく、または後続のランダムアクセス応答が前記第２のＴＴＩに基づく、のうちの少なくとも１つを決定することを備える、Ｃ１１に記載の方法。
[Ｃ１３]  前記ＤＣＩに少なくとも部分的に基づいて、ランダムアクセス要求許可に応答するための応答ウィンドウを決定することをさらに備える、Ｃ１１に記載の方法。
[Ｃ１４]  前記ＤＣＩに少なくとも部分的に基づいて、ランダムアクセスプロシージャにおける追加の通信を受信することに関係するタイマーを決定することをさらに備える、Ｃ１１に記載の方法。
[Ｃ１５]  前記データがブロードキャストデータまたはユニキャストデータに対応する、Ｃ１に記載の方法。
[Ｃ１６]  前記制御チャネル中の指示に少なくとも部分的に基づいて、前記第２のＴＴＩに基づく通信を監視することをアクティブ化または非アクティブ化することをさらに備える、Ｃ１に記載の方法。
[Ｃ１７]  ワイヤレス通信においてデータを受信するための装置であって、
少なくとも１つのプロセッサと、
前記少なくとも１つのプロセッサと通信可能に結合されたメモリと
を備え、
ここにおいて、前記少なくとも１つのプロセッサは、
第１の送信時間間隔（ＴＴＩ）の第１のデータリソースに関連する制御チャネルを監視することと、
前記制御チャネルが第２のＴＴＩに基づくＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きい、
を行うように構成された、装置。
[Ｃ１８]  前記少なくとも１つのプロセッサが、少なくとも部分的に、前記制御チャネルの共通探索空間を監視することによって、前記制御チャネルを監視するように構成され、ここにおいて、前記少なくとも１つのプロセッサは、無線ネットワーク一時識別子（ＲＮＴＩ）に基づいて前記共通探索空間中の前記ＵＥのためのダウンリンク制御インジケータ（ＤＣＩ）をデスクランブルすることに少なくとも部分的に基づいて、前記制御チャネルが前記ＵＥのために前記第２のデータリソースをスケジュールすると決定するように構成された、Ｃ１７に記載の装置。
[Ｃ１９]  前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも部分的に基づく、Ｃ１８に記載の装置。
[Ｃ２０]  前記制御チャネルがランダムアクセスチャネル指令の開始を示し、ここにおいて、前記少なくとも１つのプロセッサは、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも部分的に、１つまたは複数の後続の通信が前記第１のＴＴＩに基づくのか前記第２のＴＴＩに基づくのかを決定する
ようにさらに構成された、Ｃ１７に記載の装置。
[Ｃ２１]  ワイヤレス通信において発展型ノードＢ（ｅＮＢ）においてデータをスケジュールするための方法であって、
第１の送信時間間隔（ＴＴＩ）の第１のデータリソースに関連する制御チャネルを送信することと、
前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を備える、方法。
[Ｃ２２]  前記第２のＴＴＩに基づく前記第２のデータリソースのスケジューリングを示すことが、無線ネットワーク一時識別子（ＲＮＴＩ）に基づいて前記ＵＥのためのダウンリンク制御インジケータ（ＤＣＩ）をスクランブルすることを備え、ここで、前記ＤＣＩが、前記第２のＴＴＩに基づく前記第２のデータリソースのスケジューリングを示す、Ｃ２１に記載の方法。
[Ｃ２３]  前記ＲＮＴＩが、前記ＵＥによって識別されたページングＲＮＴＩ、ランダムアクセスＲＮＴＩ、またはシステム情報ＲＮＴＩのうちの少なくとも１つである、Ｃ２２に記載の方法。
[Ｃ２４]  前記第２のデータリソースのスケジューリングを示すことが、前記第２のＴＴＩに基づく前記第２のデータリソースのスケジューリングを示す巡回冗長検査（ＣＲＣ）マスキングを用いて前記ＤＣＩをマスキングすることをさらに備える、Ｃ２２に記載の方法。
[Ｃ２５]  前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを示すことをさらに備える、Ｃ２１に記載の方法。
[Ｃ２６]  前記制御チャネルを介してランダムアクセスチャネル指令の開始を示すことと、無線ネットワーク一時識別子（ＲＮＴＩ）に基づいてスクランブルされた前記制御チャネルの探索空間中の前記ＵＥのためのダウンリンク制御インジケータ（ＤＣＩ）に少なくとも部分的に基づいて、後続の通信が前記第１のＴＴＩに基づくのか前記第２のＴＴＩに基づくのかを示すこととをさらに備える、Ｃ２１に記載の方法。
[Ｃ２７]  前記ＤＣＩ中で、ランダムアクセス要求許可に応答するための応答ウィンドウを示すことをさらに備える、Ｃ２６に記載の方法。
[Ｃ２８]  前記ＤＣＩ中で、ランダムアクセスプロシージャにおける追加の通信を受信することに関係するタイマーを示すことをさらに備える、Ｃ２６に記載の方法。
[Ｃ２９]  ワイヤレス通信においてデータを受信するための装置であって、
少なくとも１つのプロセッサと、
前記少なくとも１つのプロセッサと通信可能に結合されたメモリと
を備え、
ここにおいて、前記少なくとも１つのプロセッサは、
第１の送信時間間隔（ＴＴＩ）の第１のデータリソースに関連する制御チャネルを送信することと、
前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を行うように構成された、装置。
[Ｃ３０]  前記少なくとも１つのプロセッサが、少なくとも部分的に、無線ネットワーク一時識別子（ＲＮＴＩ）に基づいて前記ＵＥのためのダウンリンク制御インジケータ（ＤＣＩ）をスクランブルすることによって、前記第２のＴＴＩに基づく前記第２のデータリソースのスケジューリングを示すように構成され、ここで、前記ＤＣＩが、前記第２のＴＴＩに基づく前記第２のデータリソースのスケジューリングを示す、Ｃ２９に記載の装置。